(57)【特許請求の範囲】
【請求項１】
枠体と該枠体に外板を貼付したパネルであって、他のパネルと連結するための連結部を有しており、内部に軽量発泡材を充填した塀用パネルを用い、これら塀用パネルを複数枚連結してパネル塀を製作する方法であって、
任意の塀用パネルの一部を任意の形状に切断し、
その切断された断面に軽金属薄板を貼付して切断面目地処理し、
該塀用パネルの外表面および前記切断面目地処理部分に、外装材を塗布する
ことを特徴とするパネル塀製作方法。
【請求項２】
枠体と該枠体に外板を貼付したパネルであって、他のパネルと連結するための連結部を有しており、内部に軽量発泡材を充填した塀用パネルを用い、これら塀用パネルを複数枚連結して得たパネル塀であって、
任意の塀用パネルの一部を任意の形状に切断し、
その切断された断面に軽金属薄板を貼付して切断面目地処理し、
該塀用パネルの外表面および前記切断面目地処理部分に、外装材を塗布した
ことを特徴とするパネル塀。
【発明の詳細な説明】
【技術分野】
【０００１】
本発明は、パネル塀製作方法およびパネル塀に関する。さらに詳しくは、家屋や敷地の周りを囲む塀を構築するための塀用パネル、パネル塀製作方法およびパネル塀に関する。
【背景技術】
【０００２】
従来より家屋や敷地の周りを囲む塀にはコンクリートブロックを積み上げたブロック塀が多用されている。
しかるにブロック塀は、砂をセメントで固めたコンクリート構造物であるので重量が重く、倒壊したときに人が下敷きになると大きな人身事故を招くという欠点があった。
【０００３】
そこで、軽量化しながら外観の質も向上させたものとして特許文献１，２の従来技術が提案された。
特許文献１の従来技術は、アルミニウム製構造材からなるフレームにセメント系のパネルを取付け、かつ外面にタイルを貼付したものである。
特許文献２の従来技術は、アルミニウム製構造材からなるフレームに窯業系サイディングを張設したものである。
【０００４】
上記従来例１、２は、セメント系パネルやタイル（特許文献１）や窯業系サイディング（特許文献２）を使うため、コンクリートブロックよりは軽いものの、軽量効果は充分ではなかった。
また、躯体フレームに各種の外装材（セメント系パネルやタイル、窯業系サイディング）を取り付けていくので、現場施工に手間がかかるという問題があり、仮に工場内で組立てして出荷するようにすれば、変化の乏しい塀となり、住宅デザインや都市デザインからの要望にこたえられないものとなってしまう。
【０００５】
一方、軽量化の点では、更に進化した従来技術として、特許文献３がある。
この従来技術は、支柱に合成樹脂製のパネルを結合したものである。
この従来技術では、軽量で施工性の優れたものとなるが、厚さの薄い板状の外観となり、かつ表面が平坦なだけであるから美的質感は極めて乏しいものであって、住宅デザインや都市デザインからの要望には応えることができない。
【先行技術文献】
【特許文献】
【０００６】
【特許文献１】特開平６−１３７０５１号公報
【特許文献２】特開平７−１８９６２号公報
【特許文献３】特開２００３−３２１９５２号公報
【発明の概要】
【発明が解決しようとする課題】
【０００７】
そこで、本発明者は、モジュール化された軽金属製パネルを支柱を介して組立て、その外面に壁用外装材を塗布することにより、軽量で美的質感の高いパネル塀が得られることを見出した。
しかるに、モジュール化され、デザインもパターン化されたパネルのみで塀を構築すると、デザインの変化に乏しく、また景観に合わせることが困難となる。
【０００８】
本発明は上記事情に鑑み、住宅デザインや都市デザインに合致した意匠性を発揮することができるパネル塀製作方法およびパネル塀を提供することを目的とする。
【課題を解決するための手段】
【０００９】
第１発明のパネル塀製作方法は、枠体と該枠体に外板を貼付したパネルであって、他のパネルと連結するための連結部を有しており、内部に軽量発泡材を充填した塀用パネルを用い、これら塀用パネルを複数枚連結してパネル塀を製作する方法であって、任意の塀用パネルの一部を任意の形状に切断し、その切断された断面に軽金属薄板を貼付して切断面目地処理し、該塀用パネルの外表面および前記切断面目地処理部分に、外装材を塗布することを特徴とする。
第２発明のパネル塀は、枠体と該枠体に外板を貼付したパネルであって、他のパネルと連結するための連結部を有しており、内部に軽量発泡材を充填した塀用パネルを用い、これら塀用パネルを複数枚連結して得たパネル塀であって、任意の塀用パネルの一部を任意の形状に切断し、その切断された断面に軽金属薄板を貼付して切断面目地処理し、該塀用パネルの外表面および前記切断面目地処理部分に、外装材を塗布したことを特徴とする。
【発明の効果】
【００１０】
第１発明によれば、つぎの効果を奏する。
ａ）パネルの一部を任意の形状に切断してもパネルの内部に軽量発泡材が充填されているので強度が高く、外装材を塗布して美麗な外観に仕上げることができる。しかも、パネルの一部を切断して任意のデザインの採用が可能となっている。
ｂ）モジュール化されたパネルを用いるパネル塀であっても、一部を任意の形状に切断することにより変化のあるデザインを採用することができる。また、パネルの一部を切断してもパネルの内部に軽量発泡材が充填されているので、目地処理が可能であり、外装材を塗布して美麗な外観に仕上げることができる。
第２発明によれば、モジュール化されたパネルを用いるパネル塀であっても、一部を任意の形状に切断することにより変化のあるデザインの塀となる。しかも、パネル外表面と切断面に外装材が塗布されているので塀の外観が美麗である。
【図面の簡単な説明】
【００１１】
【図１】本発明の一実施形態に係る塀用パネルの正面図である。
【図２】図１に示す塀用パネルにおける図１のII‐II線断面図である。
【図３】図１に示す塀用パネルにおける図１のIII‐III線断面図である。
【図４】本発明のパネル塀製作方法の説明図である。
【図５】本発明のパネル塀製作方法に用いる複数の塀用パネルの説明図である。
【図６】本発明におけるパネル塀の使用例の説明図である。
【発明を実施するための形態】
【００１２】
つぎに、本発明の実施形態を図面に基づき説明する。
【００１３】
まず、図６に基づき本発明のパネル塀の使用例を説明する。
Ｈ１とＨ２は家屋であり、隣接して建てられている。Ｗ２は図４のパネルを用いた塀であり、Ｗ１とＷ３は図４に示すパネル以外のパネルを用いて構築した塀である。
【００１４】
本発明に係るパネル塀は、Ｗ１〜Ｗ３のような塀を構築するのにモジュール化された塀用パネルを用いたものである。このモジュール化の意味は、統一化された基準寸法の縦、横、厚さ寸法をもつように各塀用パネルが構成され、互いに連結して、高さを変え、かつ左右方向に長さを延ばすことが可能となっていることにある。
【００１５】
各塀用パネルの連結は、代表的にはパネルとは別部材である支柱を介して行い、横方向には、隣接するパネルの間に一本づつ支柱を立て、支柱を介して各パネルを連結することにより、横方向に連設していくことができる。また、高さ方向にはパネルを上に積み重ね、かつ同じ支柱に連結することでよい。なお、パネル同士の直接連結も採用することができる。
【００１６】
図５には、上記のようなパネル塀を構築する各種パネル１〜４を例示している。これらの概要は、以下のとおりである。
１：基本パネル
塀構築用のパネルであって、外板１２は特別の孔加工などは施されておらず、平坦な形状のままである。パネルの内部は空洞であり、最も軽量なタイプである。
２：角開口パネル
基本パネルに角形の開口を形成したものである。図示の例では、開口は２個所であるが、開口の数や位置は任意である。
【００１７】
３：丸開口パネル
基本パネルに丸形の開口を形成したものである。図示の例では、開口は４個であるが、開口の数や位置は任意である。
４：現場加工用パネル
本発明の塀用パネルであり、パネル内部に軽量発泡剤、たとえば低発泡ポリスチレンを充填したものである。内部が密に充填されているので、強度が向上する外、現場で任意の形状に切断しても、内部の充填物を介して切断部分のシールが容易に行えるという利点がある。
【００１８】
図５の符号４で示した現場加工用パネルの詳細を図１〜図３に基づき説明する。
図示のパネル１は、枠体１１と、その表裏両面に貼付した２枚の外板１２とからなる。枠体１１は左右２本の縦桟１１ａからなる。なお、上下の横桟は用いられていない。これは、施工現場での切断加工の都合による。
外板１２は、枠体１１の縦横寸法と同じ板材であり、枠体１１への取付けは、ビス止めや溶接など任意の手段をとりうる。
【００１９】
２本の縦桟１１ａ、１１ａと２枚の外板１２で囲まれたパネル内部には、軽量発泡剤１３が密に充填されている。軽量発泡剤１３としては、自己消火性を有する低発泡ポリスチレンなどの軽量で切断加工の容易なものが用いられている。
【００２０】
パネル４の左右の縦桟１１ａには、外向きに突出した連結部１４が形成されている。連結部１４を介して支柱２０に連結できるようになっている。
【００２１】
上記パネルの構成素材には、とくに制限がなく、金属や合成樹脂、セメント成形板などを利用できる。金属には、鉄や銅、マグネシウム、アルミニウムなどの利用が可能であり、合成樹脂には、ポリエチレン板、ポリプロピレン板などが利用可能である。
【００２２】
地震等による耐倒壊性を高めるためには、軽量素材を用いるのが好ましく、強度と軽量性を共に満足するためには、軽金属、とくにアルミニウムが好ましい。枠体１１はアルミニウム押出形材であると、製造が容易であり、任意の断面形状が可能であって、かつ連結部１４も同時に成形できる。
外板１２は、アルミニウム板、もしくはアルミニウム板に合成樹脂層を積層したものが好適である。
なお、アルミニウム材料は、軽量性と耐腐食性を兼ね備えている。
また、支柱２０もパネルと同様の種々の材料を用いることができるが、強度と軽量性を共に満足するには軽金属、とくにアルミニウム製の押出形材が好ましい。
【００２３】
本発明の塀の構成には、上記基本パネル１以外にも後述する種々のパネルが用いられるが、基本構造は実質同様である。
【００２４】
つぎに、本発明の現場加工用パネル４を用いて構築したパネル塀の一例を図４に基づき説明する。
（１）図に示すように、現場加工パネル４に施したいデザインに合わせた罫書線４１を入れる。
（２）図に示すように、ジグソーなどの任意のハンド工具で切断する。切断面には自己消火性を有する低発泡ポリスチレンなどの軽量発泡材１３の切断面が見えている。
（３）図に示すように、切断面に同形状のアルミニウム薄板５１を当てて、接着その他の手段で貼付する。アルミニウム薄板としては、０．２〜０．５ｍｍ厚のものが、加工の容易さと外板の一種としての強度を兼ね備えるので好ましい。図示の実施例では０．３ｍｍ厚のものを使用した。このアルミニウム薄板５１が特許請求の範囲にいう軽金属薄板である。
【００２５】
なお、アルミニウム薄板５１と外板１２との境目には、目地処理として、薄いアルミニウムテープを貼り付けてもよい。その後は、（４）図に示すように、他のパネル（たとえば、基本パネル１や丸開口パネル３など）と共に２本の支柱２０、２０に連結する。
【００２６】
このようにして、パネル塀の物理構造が出来上がると、各パネル３，４の表面に下地調整材３１を塗装する。この下地調整材３１は、次工程で行う外装材が確実に付着し、剥落等が生じないようにするため行われる。代表的には、合成樹脂（たとえば、エポキシ樹脂）や防錆顔料を主成分とするプライマーが用いられる。
つぎに、下地層の表面に外装材３２を塗布する。外装材の代表的なものは、バインダーとしての合成樹脂と砂とパルプを主成分とするものなどが用いられ、鏝塗り、ローラ塗り、吹付け等の手法で塗布される。この外装材３２は砂とパルプを含むことから自然の風合いと嵩高感を有する点に特徴がある。
【００２７】
このように構成することで、モジュール化されたパネルを用いるパネル塀にも、任意のデザインの採用が可能となっている。また、パネルの内部に軽量発泡材が充填されているので強度が高く、外装材３２を塗布して美麗な外観に仕上げることができる。
【００２８】
つぎに、下地調整材３１と外装材３２の塗布の具体的方法を以下に示す。
パネルの外表面（外板１２）に下地調整材３１をローラ等で塗布する。この下地調整材３１は常温で数時間（たとえば、２時間）で乾燥するものが用いられる。下地調整材３１が乾燥すると、外装材３２を塗布する。この外装材３２はねばりがあり嵩高く塗布する必要があるので、こて塗りで行うのが代表的であるが、ローラや吹付けなどの手法でも行われる。外装材３２は速乾性はないが、夏場で半日、冬場で２日程度で乾燥するものが好ましい。
【００２９】
外装材３２にアクリルシリコンエマルジョンなどを主成分とする防汚剤を含有させている場合は、汚れが雨などで落ちやすくなる。また、公知の防藻剤を配合させておけば藻の育成を抑える効果も期待でき、外壁が美麗に保たれるという効果が生じる。
【００３０】
（他の実施形態）
つぎに、本発明に適用できるパネル構造を例示する。
本発明で使用するパネルは、図５に示す４種類に限られない。たとえば、縦格子を形成したものや、ルーバーを形成したものなど、その他種々のタイプをとくに制限なく用いることができる。また、四角形平板状のものに限らず、各種の形状のものを任意に用いることができる。
また、曲面パネルなども可能であり、塀のコーナー部分の構築に用いられる。
【００３１】
モジュール化に必要な基準寸法としては、とくに制限なく、施工性などの面から任意の寸法を採用できるが、縦６００ｍｍ、横９１０ｍｍ、厚さ６０ｍｍなどを例示できる。支柱の高さは、パネルの高さに根入れ寸法を加えると１０００ｍｍとするのが代表的であるが、これに限られることはない。
【００３２】
本発明のパネルには、外板に意匠性加工を施してもよく、機能性部材を取付けてもよい。
意匠性加工は種々のものを任意に援用でき、角開口や丸開口の外、任意のものを付加することができる。
また、機能性部材は、縦型や横型のポストやルーバーセットなどを付加し、さらにその他任意のものを付加することができる。
【符号の説明】
【００３４】
１  パネル
１１  枠体
１２  外板
１３  軽量発泡材
２０  支柱
５１  アルミニウム薄板
【図１】
0005686758.tif 000002
【図２】
0005686758.tif 000003
【図３】
0005686758.tif 000004
【図４】
0005686758.tif 000005
【図５】
0005686758.tif 000006
【図６】
0005686758.tif 000007